(57)【要約】【課題】かつらにおいて、外観を自然に見せる。【解決手段】人の前頭部（２）、頭頂部（３）、最頭頂部（４）、後頭部（５）、こめかみ部（６）及び側頭部（７）の各部位のうち少なくとも２つの部位に亘って装着されるかつら１において、各部位の少なくとも２つの部位間で植毛密度を異ならせた構成とする。【選択図】図１
2007186809.tif 000002
【特許請求の範囲】
【請求項１】
人の前頭部、頭頂部、最頭頂部、後頭部、こめかみ部及び側頭部の各部位のうち少なくとも２つの部位に亘って装着されるかつらにおいて、
前記各部位の少なくとも２つの部位間で植毛密度を異ならせたことを特徴とするかつら。
【請求項２】
前記かつらは、前記各部位のうち少なくとも３つの部位に亘って装着され、
前記各部位の少なくとも３つの部位間で植毛密度を異ならせたことを特徴とする請求項１記載のかつら。
【請求項３】
前記各部位のうち、前記頭頂部及び／又は最頭頂部の植毛密度を最も高くしたことを特徴とする請求項１又は請求項２記載のかつら。
【請求項４】
前記植毛密度を異ならせた各部位間の境界を、人の頭部に沿った方向に凹凸状に形成したことを特徴とする請求項１から請求項３のいずれか１項記載のかつら。
【請求項５】
前記前頭部及びこめかみ部の少なくとも一方において、前記植毛密度を前記頭頂部又は前記最頭頂部にかけて徐々に高くしたことを特徴とする請求項１から請求項４のいずれか１項記載のかつら。
【発明の詳細な説明】
【技術分野】
【０００１】
本発明は、植毛密度を位置により異ならせたかつらに関するものである。
【背景技術】
【０００２】
かつらは、一般的に薄毛に悩む人が着用するものであり、実際の頭部であるかのように見せるものでなければならない。そのため、例えば、特許文献１（特開平８−１５８１３０号公報）では、以下のような部分かつらが提案されている。
【０００３】
上記特許文献１の部分かつらは、周縁部の植毛密度を高くし、部分かつらと人の頭部との境界をぼかすようにしている。
【特許文献１】特開平８−１５８１３０号公報
【発明の開示】
【発明が解決しようとする課題】
【０００４】
ところで、上記特許文献１のかつらは、部分かつらと人の頭部との境界をぼかしている。しかしながら、一般的な人の頭髪は、位置により頭髪の密度が異なる。そのため、上記特許文献１の部分かつらは、自然な外観を得ることができなかった。
【０００５】
本発明の課題は、上記従来の実情に鑑み、外観を自然に見せるかつらを提供することである。
【課題を解決するための手段】
【０００６】
上記課題を解決するために、本発明のかつらは、人の前頭部、頭頂部、最頭頂部、後頭部、こめかみ部及び側頭部の各部位のうち少なくとも２つの部位に亘って装着されるかつらにおいて、上記各部位の少なくとも２つの部位間で植毛密度を異ならせた構成とする。
【０００７】
好ましくは、前記かつらは、前記各部位のうち少なくとも３つの部位に亘って装着され、前記各部位の少なくとも３つの部位間で植毛密度を異ならせた構成とする。
好ましくは、上記各部位のうち、上記頭頂部及び／又は最頭頂部の植毛密度を最も高くした構成とする。
【０００８】
好ましくは、上記植毛密度を異ならせた各部位間の境界を、人の頭部に沿った方向に凹凸状に形成した構成とする。
好ましくは、上記前頭部及びこめかみ部の少なくとも一方において、上記植毛密度を上記頭頂部又は上記最頭頂部にかけて徐々に高くした構成とする。
【発明の効果】
【０００９】
本発明によれば、人の前頭部、頭頂部、最頭頂部、こめかみ部、側頭部及び後頭部の各部位のうち少なくとも２つの部位間で植毛密度を異ならせることにより、人の頭髪の位置による頭髪密度の違いを再現することができ、外観を自然に見せることができる。
【発明を実施するための最良の形態】
【００１０】
以下、本発明の実施形態に係るかつらについて図面を参照しながら説明する。
図１は、本発明の一実施形態に係るかつらを示す概略平面図である。
同図におけるかつら１は、人毛又は人工毛からなる毛髪が植毛されていない状態である。また、かつら１は、ここでは、人の前頭部、頭頂部、最頭頂部、後頭部、こめかみ部及び側頭部の各部位に亘って装着される。かつら１の各部位は、上記人の頭部における部位に対応した、前頭部２、頭頂部３、最頭頂部４、後頭部５、こめかみ部６及び側頭部７からなる。なお、頭頂部３とは、人の頭部の上部に対応する部位であり、最頭頂部４とは、人の頭部の最上部に対応する部位である。
【００１１】
かつら１の各部位の植毛密度は、少なくとも２つの部位間で異なっており、例えば最頭頂部４の植毛密度を１００％として、前頭部２、頭頂部３、後頭部５、こめかみ部６及び側頭部７の植毛密度が、好ましくは５０％乃至９９％、より好ましくは７０％乃至９５％となることが望ましい。ここで、かつら１は、最頭頂部４が最も植毛密度が高いのに加え、前頭部２及びこめかみ部６が、頭頂部３よりも植毛密度が低くなっており、植毛密度は少なくとも３つの部位間で異なっている。かつら１の各部位における単位面積当たりの植毛本数は、適宜決定されればよい。
【００１２】
なお、本実施形態では、最頭頂部４の植毛密度を最も高くする場合を説明したが、最頭頂部４と頭頂部３とが同一の植毛密度の場合には、頭頂部３及び最頭頂部４の植毛密度が最も高くなる。また、頭頂部３のみの植毛密度を最も高くすることも有効である。更に、頭頂部３及び／又は最頭頂部４が最も植毛密度が高くない場合にも、本発明の植毛密度を異ならせる手法は実現可能である。
【００１３】
ここで、同図に示すかつら１内の各部位の境界を示す線は、密度の異なる領域を明確にするための想像線として示しており、実際に見えるものではない。この各部位の境界のうち、頭頂部３及び最頭頂部４の周囲の境界Ｌは、人の頭部に沿った方向に凹凸状に形成されている。この凹凸状の境界Ｌは、植毛密度が異なる境界における植毛密度の差異を視認させにくくしている。
【００１４】
本実施形態では、図１に示すように凹凸状の境界Ｌを頭頂部３及び最頭頂部４の周囲に用いているが、更に、隣接する部位にかけて徐々に植毛密度を異ならせる手法も用いて植毛密度の差異を一層視認させにくくしている。以下、この手法を、図２を参照しながら説明する。
【００１５】
図２は、上記かつらの前頭部を示す概略平面図である。
同図において、前頭部２は、植毛密度が生え際部２ａから頭頂部３にかけて植毛密度が徐々に高くなっている。この植毛密度の変化は、生え際２ａに沿う領域の領域Ａから領域Ｂ，領域Ｃ，領域Ｄへと徐々に高くなっている。また、前頭部２内の各領域の境界２Ｌも人の頭部に沿って凹凸状になっている。領域毎の植毛密度の関係は、例えばＡ＜Ｂ＜Ｃ＜Ｄとなっている。ここで、各領域の境界２Ｌを示す線は、密度の異なる領域を明確にするための想像線として示しており、実際に見えるものではない。
【００１６】
なお、植毛密度を隣接する部位にかけて徐々に異ならせる上述の手法は、かつら１のうち、前頭部２と同様に目立ちやすいこめかみ部６にも施されている。しかしながら、この手法は、植毛密度の異なる部位にかけて用いることが有効であるため、例えば頭頂部３、最頭頂部４、後頭部５及び側頭部７の周縁等に施されることも考えられる。
【００１７】
本実施形態によれば、前頭部２、頭頂部３、最頭頂部４、後頭部５、こめかみ部６及び側頭部７の各部位のうち少なくとも２つの部位間、好ましくは少なくとも３つの部位間として、頭頂部３及び最頭頂部４の植毛密度を他の部位２，５，６，７と異ならせたことにより、人の頭髪の位置による頭髪密度の違いを再現することができ、外観を自然に見せることができる。
【００１８】
また、各部位のうち、頭頂部３及び／又は最頭頂部４の植毛密度を最も高くすることにより、人の頭髪の特徴をより忠実に再現することができ、一層外観を自然に見せることができる。
更に、植毛密度を異ならせた各部位間の境界Ｌ（本実施形態では頭頂部３及び最頭頂部４の周囲の境界）を、人の頭部に沿った方向に凹凸状に形成したことにより、各部位間の植毛密度の差異を視認させにくくし、より一層外観を自然に見せることができる。
【００１９】
更にまた、前頭部２及びこめかみ部６の少なくとも一方（ここでは両方）において、植毛密度を頭頂部３又は最頭頂部４にかけて徐々に高くした（領域Ａ＜Ｂ＜Ｃ＜Ｄ）ことにより、人の頭髪の特徴をより有効に再現することができ、一層外観を自然に見せることができる。
【００２０】
その際、各部位内の領域の境界（本実施形態における前頭部２の境界２Ｌ）を凹凸状に形成したことにより、部位内の各領域間の植毛密度の差異を視認させにくくし、更に外観を自然に見せることができる。
【００２１】
なお、本実施形態では、かつら１（人の頭部）の各部位を、前頭部２、頭頂部３、最頭頂部４、後頭部５、こめかみ部６及び側頭部７に区別したが、これらのうち少なくとも２つ以上の部位を有していれば本発明を実施することは可能である。そのため、本発明は部分かつらにも適用可能である。更に、例えば、かつら１の周縁部等が前頭部２、後頭部５、こめかみ部６及び側頭部７を兼ね、この周縁部と頭頂部３との植毛密度を異ならせることによっても本発明を実施することは可能である。
【００２２】
また、かつら１の頭頂部３及び最頭頂部４の周囲の境界Ｌと、前頭部２内の境界２Ｌとを、それぞれギザギザの凹凸状にしたが、これ以外の凹凸状、例えば波状の凹凸状としても、植毛密度の差異を視認させにくくするため有効である。
【００２３】
図３、図４及び図５は、本発明のその他各種の実施形態に係るかつらを示す概略平面図である。
図３及び図４においても、かつら１は、上記実施形態と同様に、人毛又は人工毛からなる毛髪が植毛されていない状態である。また、かつら１は、人の前頭部、頭頂部、最頭頂部、後頭部、こめかみ部及び側頭部の各部位に亘って装着される。かつら１の各部位は、人の頭部に対応した、前頭部２、頭頂部３、最頭頂部４、後頭部５、こめかみ部６及び側頭部７からなる。これらの点も含め、図３及び図４に示すかつら１は、下記に示す部位間のわずかな植毛密度の違いを除いては、上記一実施形態と同様の構成を備えているものとする。
【００２４】
ここで、図３及び図４に示すかつら１のそれぞれにおいて、各部位の植毛密度は、最頭頂部４の植毛密度を１００％として、前頭部２、頭頂部３、後頭部５、こめかみ部６及び側頭部７の植毛密度が、好ましくは５０％乃至９９％となることが望ましい。
【００２５】
特に、図３に示すかつら１においては、前頭部２、頭頂部３、後頭部５及びこめかみ部６は、７０％乃至９９％になっており、側頭部７は、それよりも低い植毛密度で例えば５０％乃至９９％となっている。そして、図４に示すかつら１におけるこの値は、頭頂部３が７０％乃至９９％になっており、頭頂部３、後頭部５、こめかみ部６及び側頭部７はそれよりも低い植毛密度で例えば５０％乃至９９％となっている。
【００２６】
なお、図３及び図４に示すかつら１においても、最頭頂部４の植毛密度を最も高くする場合を説明したが、最頭頂部４（及び／又は頭頂部３）が最も植毛密度が高くない場合にも本発明の植毛密度を異ならせる手法は実現可能である。また、植毛密度を隣接する部位にかけて徐々に異ならせる上記実施形態の手法（図２）は、ここでも、前頭部２及びこめかみ部６に施されていることが望ましい。更に、この手法は、植毛密度の異なる部位にかけて用いることが有効であるため、例えば頭頂部３、最頭頂部４、後頭部５及び側頭部７の周縁部等に施されることも考えられる。
【００２７】
以上のように、上記一実施形態の技術は様々なかつらに用いることができ、図３及び図４に示すかつら１によっても、上記一実施形態と同様に、外観を自然に見せることができる。
【００２８】
また、図５に示すかつら１のように、各部位を周縁部９から、該周縁部９と頭頂部３との間に形成される中間部８を経て、頭頂部３、最頭頂部４へと徐々に植毛密度を高めることでも、有効に外観を自然に見せることができる。
【００２９】
ここで、同図に示す周縁部９は、前頭部２、後頭部５、こめかみ部６及び側頭部７を兼ねることにもなるため、例えば中間部８、頭頂部３、最頭頂部４が同一の植毛密度であっても、周縁部９がこれらと異なる植毛密度を有していれば、「前頭部２、頭頂部３、最頭頂部４、後頭部５、こめかみ部６及び側頭部７の各部位の少なくとも２つ以上の部位間で植毛密度を異ならせる」ことは可能である。
【図面の簡単な説明】
【００３０】
【図１】本発明の一実施形態に係るかつらを示す概略平面図である。
【図２】上記かつらの前頭部を示す概略平面図である。
【図３】本発明のその他の実施形態に係るかつらを示す概略平面図（その１）である。
【図４】本発明のその他の実施形態に係るかつらを示す概略平面図（その２）である。
【図５】本発明のその他の実施形態に係るかつらを示す概略平面図（その３）である。
【符号の説明】
【００３１】
１      かつら
２      前頭部
２ａ      生え際部
２Ｌ      前頭部における各領域の境界
３      頭頂部
４      最頭頂部
５      後頭部
６      こめかみ部
７      側頭部
８      中間部
９      周縁部
Ｌ      各部位の境界
【図１】
2007186809.tif 000003
【図３】
2007186809.tif 000004
【図４】
2007186809.tif 000005
【図５】
2007186809.tif 000006
【図２】
2007186809.tif 000007